【手続補正書】
【提出日】平成26年1月21日(2014.1.21)
【手続補正１】
【補正対象書類名】特許請求の範囲
【補正対象項目名】全文
【補正方法】変更
【補正の内容】
【特許請求の範囲】
【請求項１】
チルドビームシステムを使用した空調空間の負荷を充足させる方法であって、
上記チルドビームシステムは、
複数のチルドビームユニットであって、各チルドビームユニットは、少なくとも一つの熱交換器を備え、一次空気を受け、少なくとも一つのジェットを通して一次空気を噴射して上記少なくとも一つの熱交換器を介して二次気流を生じさせるように構成され、上記熱交換器が加熱源又は冷却源から液体伝熱流体を受けるように構成された、上記複数のチルドビームユニットと、
中央空気調和機からチルドビームの一次空気入口へ一次空気を搬送するように構成した調和機と、
空調還気をチルドビームの一次空気入口へ搬送するように構成した端末ユニットと、を有し、
上記方法は、
中央空気調和機からチルドビームの一次空気入口へ一次空気を搬送すること；
空調還気を生成するために、チルドビームによって空調された空間からの空調空気を上記端末ユニットへ引き込むこと；
チルドビームの一次空気入口へ空調還気を搬送すること
を含むことを特徴とする方法。
【請求項２】
空調還気を搬送することは、上記端末ユニットによって、空調空間からの還気を冷却すること、および、該冷却還気を中央空気調和機からの一次空気と混合して混合一次気流を作ることを含み、
混合一次気流がチルドビームの一次空気入口へ供給されることを特徴とする請求項１記載の方法。
【請求項３】
空調還気を搬送することは、上記端末ユニットによって、空調空間からの還気を冷却すること、および、該冷却還気を端末ユニットにおいて中央空気調和機からの一次空気と混合して混合一次気流を作ることを含み、
混合一次気流がチルドビームの一次空気入口へ供給されることを特徴とする請求項１記載の方法。
【請求項４】
上記中央空気調和機から一次空気を搬送することは、空調空間の換気負荷を充足するには十分であるが計画する熱荷重要求を供給するのには不十分である質及び割合で一次空気を搬送することを含むことを特徴とする請求項１記載の方法。
【請求項５】
複数のチルドビームユニットであって、各チルドビームユニットは、少なくとも一つの熱交換器を備え、一次空気を受け、少なくとも一つのジェットを通して一次空気を噴射して上記少なくとも一つの熱交換器を介して二次気流を生じさせるように構成され、上記熱交換器が加熱源又は冷却源から液体伝熱流体を受けるように構成された、上記複数のチルドビームユニットと、
中央空気調和機からチルドビームの一次空気入口へ一次空気を搬送するように構成した調和機と、
空調還気をチルドビームの一次空気入口へ搬送するように構成した端末ユニットと、を備えた、空調空間用チルドビームシステム。
【請求項６】
空調還気が、空調空間からの還気を冷却し、そして中央空気調和機からの一次空気と混合して、混合した一次気流を作る機構を備え、一次気流がチルドビームの一次空気入口に供給されることを特徴とする請求項５記載の空調空間用チルドビームシステム。
【請求項７】
空調還気が端末ユニットで冷却され、そして中央空気調和機からの一次空気と端末ユニットにおいて混合されて、混合した一次気流を作り、端末ユニットが一次気流をチルドビームの一次空気入口に供給することを特徴とする請求項５記載の空調空間用チルドビームシステム。
【請求項８】
中央空気調和機からの一次空気が、空調空間の換気負荷を充足するのに十分であるが計画する熱荷重要求を供給するのには不十分である質及び割合であることを特徴とする請求項５記載の空調空間用チルドビームシステム。
【請求項９】
端末ユニットが、還気中の含水量を低減するように構成した凝縮冷却コイルを備えていることを特徴とする請求項５〜８のいずれか記載の空調空間用チルドビームシステム。
【請求項１０】
端末ユニットが、還気中の含水量を低減するように構成した乾燥剤コンポーネントを備えていることを特徴とする請求項５〜８のいずれか記載の空調空間用チルドビームシステム。
【請求項１１】
各空気調和機が多数の端末ユニットの機能を提供し、各端末ユニットが多数の上記チルドビームの機能を供給していることを特徴とする請求項５〜１０のいずれか記載の空調空間用チルドビームシステム。
【請求項１２】
端末ユニットが、各々によって機能したチルドビームユニットの近くに配置するように一つ以上の構造体を介して分配されていることを特徴とする請求項１１記載の空調空間用チルドビームシステム。
【手続補正２】
【補正対象書類名】明細書
【補正対象項目名】発明の名称
【補正方法】変更
【補正の内容】
【発明の名称】チルドビームシステムを使用した空調空間の負荷を充足させる方法、および、空調空間用チルドビームシステム
【手続補正３】
【補正対象書類名】明細書
【補正対象項目名】００２０
【補正方法】変更
【補正の内容】
【００２０】
図２を参照すると、チルドビームシステム２００は一つ以上の空調空間１１０に対して加熱及び冷却を行う。従来の実施形態の場合のように、空調空間は、建物内の部屋、会議ホール、倉庫、教室、データセンター、或いは加熱及び／又は冷却を必要とする種々の異なった占有空間のいずれかであり得る。各空間には、チルドビームシステム１００の場合のように一つ以上のチルドビーム１０１が設けられる。各チルドビーム１０１は、端末ユニット１２８及び空気調和機１２０から最終一次空気１３５を受け、空気調和機１２０の出力は混合接合部１３９で混合される。端末ユニット１２８は、空調空間からの還気流１３３を調整し、そして調和空気１３７を、空気調和機１２０からの一次空気１３１と並行に混合接合部１３９を介して供給する。前述の実施形態のように、還気流１３３は、空調空間１１０のために働く一つ以上の還気レジスタから供給され得る。還気流１３３は、また、冷却モードの場合には幾つかを天井の近くに配置し、加熱モードの場合には一つを床の近くに配置した選択可能なサブセットの多数の還気レジスタから供給され得る。前述のように、天井のレジスタは冷却中に自動的に選択され得、また床のレジスタは加熱中に選択され得る。後者の制御は全ての実施形態の場合のようにモードスイッチに連動するようにされ得る。
【手続補正４】
【補正対象書類名】明細書
【補正対象項目名】００４４
【補正方法】変更
【補正の内容】
【００４４】
次に図５Ａを参照すると、特定のモードの実施形態において、空調空間の冷房負荷は、端末ユニットによる追加機能なしでは、チルドビーム冷却システムの適応力より低くなる。空気調和機は、１００％の潜在的な冷却効果を提供し、チルドビームは実用的な冷却効果を提供する。換気は、空気調和機からの空気の一次供給によって行われる。端末ユニットは、本明細書で記載したダンパによって受動的に又はアクティブに構成され得るバイパスモードにある。このモード及び他のモードの実施形態では、端末ユニットは、換気ブーストを行い得るか又はシステムにおける流れの不平衡を修正するのに用いられ得る。
【手続補正５】
【補正対象書類名】明細書
【補正対象項目名】００４５
【補正方法】変更
【補正の内容】
【００４５】
次に図５Ｂを参照すると、特定のモードの実施形態において、空調空間の冷房負荷は、端末ユニットによる追加機能なしでは、チルドビーム冷却システムの適応力より大きく、それで端末ユニットは、空気調和機を補足するように更なる冷却効果を加える。代わりに、上述のように、このモード実施形態は、快適な状態が確立される前に、大きな熱慣性及び短いランプ時間に対応する開ループ制御コマンドに応じて実行される。空気調和機は、潜在的な冷却効果の一部を担い、またチルドビームは、適切な冷却効果を担う。しかし、この場合、端末ユニットは、それの熱交換器を用いて更に適切且つ潜在的な冷却を行う。換気は、空気調和機からの空気の一次供給によって行われる。端末ユニットは、本明細書で記載したように還気流に更なる冷却効果を提供する受動的又は作動的形態である。
【手続補正６】
【補正対象書類名】明細書
【補正対象項目名】００４６
【補正方法】変更
【補正の内容】
【００４６】
次に図５Ｃを参照すると、特定のモードの実施形態において、空調空間の冷房負荷は、端末ユニットによる追加機能なしでは、チルドビーム冷却システムの適応力より大きく、それで端末ユニットは、空気調和機を補足するように更なる冷却効果を加える。代わりに、上述のように、このモード実施形態は、快適な状態が確立される前に、大きな熱慣性及び短いランプ時間に対応する開ループ制御コマンドに応じて実行される。空気調和機は、潜在的な冷却効果の一部を担い、またチルドビームは、適切な冷却効果を担う。しかし、この場合、端末ユニットは、空気調和機による更なる冷却効果及び循環空気と並列に組み合されるそれらの熱交換器を用いて更に適切且つ潜在的な冷却を行う。換気は、空気調和機からの空気の一次供給によって行われる。端末ユニットは、本明細書で記載したように還気流に更なる冷却効果を提供する受動的に又はアクティブに構成される。端末ユニットは、還気を引き込みそしてチルドビームに対して混合された供給流内に注入させるファンを備え得る。
【手続補正７】
【補正対象書類名】明細書
【補正対象項目名】００４８
【補正方法】変更
【補正の内容】
【００４８】
次に図５Ｅを参照すると、特定のモードの実施形態においては、空調空間の暖房負荷は、端末ユニットによる追加機能なしでは、チルドビーム加熱システムの適応力より低い。空気調和機は、加熱効果の一部を提供し、そしてチルドビームは残りの加熱効果を提供する。換気は、空気調和機からの空気の一次供給によって行われる。端末ユニットは、本明細書で記載したダンパによって受動的に又はアクティブに構成され得るバイパスモードにある。このモード及び他のモードの実施形態では、端末ユニットは、換気ブーストを行い得るか又はシステムにおける流れの不平衡を修正するのに用いられ得る。
【手続補正８】
【補正対象書類名】明細書
【補正対象項目名】００４９
【補正方法】変更
【補正の内容】
【００４９】
次に図５Ｆを参照すると、特定のモードの実施形態において、空調空間の暖房負荷は、端末ユニットによる追加機能なしでは、チルドビーム加熱システムの適応力より大きく、それで端末ユニットは、空気調和機を補足するように更なる加熱効果を加える。代わりに、上述のように、このモード実施形態は、快適な状態が確立される前に、大きな熱慣性及び短いランプ時間に対応する開ループ制御コマンドに応じて実行される。空気調和機は、潜在的な加熱効果の一部を担い、またチルドビームは、加熱効果を担う。しかし、この場合、端末ユニットは、それらの熱交換器を用いて付加的かつ潜在的な加熱を行う。換気は、空気調和機からの空気の一次供給によって行われる。端末ユニットは、本明細書で記載したように還気流に更なる熱効果を提供する受動的又はアクティブな構成である。
【手続補正９】
【補正対象書類名】明細書
【補正対象項目名】００５０
【補正方法】変更
【補正の内容】
【００５０】
次に図５Ｇを参照すると、特定のモードの実施形態において、空調空間の暖房負荷は、端末ユニットによる追加機能なしでは、チルドビーム加熱システムの適応力より大きく、それで端末ユニットは、空気調和機を補足するように更なる熱効果を加える。代わりに、上述のように、このモード実施形態は、快適な状態が確立される前に、大きな熱慣性及び短いランプ時間に対応する開ループ制御コマンドに応じて実行される。空気調和機は、潜在的な加熱効果の一部を担い、またチルドビームは、加熱効果を担う。しかし、この場合、端末ユニットは、空気調和機による更なる加熱効果及び循環空気と並列に組み合わされるそれらの熱交換器を用いて付加的かつ潜在的な加熱を行う。換気は、空気調和機からの空気の一次供給によって行われる。端末ユニットは、本明細書で記載したように還気流に更なる熱効果を提供する受動的又はアクティブな構成である。端末ユニットは、還気を引き込みそしてチルドビームに対して合成した供給流内に注入させるファンを備え得る。
【手続補正１０】
【補正対象書類名】明細書
【補正対象項目名】００５９
【補正方法】変更
【補正の内容】
【００５９】
図１１を参照すると、用語“低アスペクト比ジェット又はフロー”及び“高アスペクト比フロー又はジェット”は、チルドビーム及び典型的な加熱レジスタのジェット間の差を特徴づけるのに用いられる。例えば、チルドビーム２２３によって作られた（高アスペクト比ジェット）ような高アスペクト比ジェットは、典型的には線形スロット開口２２５によって形成される。混合レジスタ２２７によって作られた低アスペクト比開放すなわちフロー又はジェットは、低アスペクト比開口２２９（或いはそれの連続体）によって放出される。図１１の図は底から見た図である。
【手続補正１１】
【補正対象書類名】明細書
【補正対象項目名】００６０
【補正方法】変更
【補正の内容】
【００６０】
用語“混合レジスタ”は一般的には、拡散装置又は約５以下のアスペクト比をもつ開口を特定するのに用いられる。混合レジスタが使用される全ての実施形態において、チルドビーム又は端末ユニットの形態によって、一次空気（端末ユニットからの空気を含んでいる）の容積は例えば、加熱モード信号が発生される際に増加され得る。
【手続補正１２】
【補正対象書類名】明細書
【補正対象項目名】００６２
【補正方法】変更
【補正の内容】
【００６２】
不定冠詞及び定冠詞並びに同様な用語は、特に指示しない限り或いは慣例に関連して明らかでない限り、単数及び複数の両方をカバーするように解釈されるべきである。用語“有する”、“備える”、“含む”及び“包含する”は、除外しない幅広く解釈できる用語である。用語“取り付けた”及び“接続した”は、部分的に又は全体として内部に含まれること、付属すること、一体であること或いは互いに接合されることを意味している。値の範囲は、特に指示せずしかも該範囲における各別々の値があたかも別個に記載された範囲の説明で指示されない限り、該範囲内の各別々の値を含む。特に指示しかつ明らかでない限り、本明細書に記載した方法は任意の順序で実行され得る。本明細書に記載した例は発明に対して限定を導入するものではない。